(57)【特許請求の範囲】
【請求項１】
電子部品が実装される電子部品実装領域と、ケーブル接続部を複数有する配線ケーブル
接続領域とが一体的に形成され、少なくとも前記配線ケーブル接続領域が可撓性を有する
回路基板と、
前記ケーブル接続部に接続された複数の配線ケーブルと、
を備え、
前記回路基板は、前記配線ケーブル接続領域を折り曲げた収納状態と、前記配線ケーブ
ル接続領域を折り曲げる前の平面である展開状態との２つの状態を有し、さらに、前記展
開状態において前記配線ケーブル接続領域の長手方向と直交する方向に前記電子部品実装
領域が延びており、前記収納状態において前記配線ケーブル接続領域が該配線ケーブル接
続領域の長手方向に、各配線ケーブルの間に前記配線ケーブル接続領域を形成する回路基板の一部が介在するように蛇腹状に折り畳まれるとともに、前記ケーブル接続部が前記電子部品実装領域の少なくとも一部と立体的で多層に積層されるように重なり、かつ、前記各配線ケーブルの間隔は前記収納状態の方が前記展開状態よりも狭いことを特徴とする電子回路モジュール。
【請求項２】
電子部品が実装される電子部品実装領域と、ケーブル接続部を複数有する配線ケーブル
接続領域とが一体的に形成され、少なくとも前記配線ケーブル接続領域が可撓性を有する
回路基板と、
前記ケーブル接続部に接続された複数の配線ケーブルと、
を備え、
前記回路基板は、前記配線ケーブル接続領域を折り曲げた収納状態と、前記配線ケーブ
ル接続領域を折り曲げる前の平面である展開状態との２つの状態を有し、さらに、前記展
開状態において前記配線ケーブル接続領域の長手方向に沿って前記電子部品実装領域が延
びており、前記収納状態において前記配線ケーブル接続領域が該配線ケーブル接続領域の
長手方向に、各配線ケーブルの間に前記配線ケーブル接続領域を形成する回路基板の一部が介在するように蛇腹状に折り畳まれるとともに、前記ケーブル接続部が前記電子部品実装領域の少なくとも一部と立体的で多層に積層されるように重なり、かつ、前記各配線ケーブルの間隔は前記収納状態の方が前記展開状態よりも狭いことを特徴とする電子回路モジュール。
【発明の詳細な説明】
【技術分野】
【０００１】
本発明は、回路基板上に電子部品が搭載され、配線ケーブルが接続された電子回路モジュールに関するものである。
【背景技術】
【０００２】
従来から、内視鏡は、医療分野等で広く利用されている。この内視鏡は、可撓性を有する細長の挿入具の先端部に撮像素子等の電子部品を実装した電子回路モジュールが内蔵されて構成されており、この挿入具を体腔内に挿入することによって、被検部位の観察等を行うことができる。挿入具の先端部は、患者の苦痛を緩和するため、細径化、短小化が望まれている。この種の問題を解決するための技術として、例えばＩＣや受動部品等が搭載される可撓性基板を撮像素子と電気的に接続し、この可撓性基板を筒状に折り曲げてＩＣや受動部品等を内部に収容するとともに、外側面に外部リード用電極を具備することで外形スペースを大きくせずに電子部品等の実装スペースを広くしたものが知られている（特許文献１参照）。
【先行技術文献】
【特許文献】
【０００３】
【特許文献１】特開平５−１１５４３６号公報
【発明の概要】
【発明が解決しようとする課題】
【０００４】
ところで、内視鏡等に内蔵される電子回路モジュールは、その小型化に伴って配線が細線化、高密度化し、モジュールを構成する際の配線ケーブルの配線作業が困難であるという問題が生じていた。
【０００５】
本発明は、上記に鑑みなされたものであって、配線ケーブルの配線作業を簡単に行うことができる電子回路モジュールを提供することを目的とする。
【課題を解決するための手段】
【０００６】
上述した課題を解決し、目的を達成するため、本発明にかかる電子回路モジュールは、電子部品実装領域と配線ケーブル接続領域とが一体的に形成され、少なくとも前記配線ケーブル接続領域が可撓性を有する回路基板と、前記電子部品実装領域に搭載された電子部品と、前記配線ケーブル接続領域に接続された複数の配線ケーブルと、を備え、前記回路基板の展開状態において前記配線ケーブル接続領域の長手方向と直交する方向に前記電子部品実装領域が延びており、前記回路基板の収納状態において前記配線ケーブル接続領域が該配線ケーブル接続領域の長手方向に折り曲げられ、前記配線ケーブル接続領域のケーブル接続部が前記電子部品実装領域の少なくとも一部と立体的に重なるように配置されることを特徴とする。
【０００７】
また、本発明にかかる電子回路モジュールは、電子部品実装領域と配線ケーブル接続領域とが一体的に形成され、少なくとも前記配線ケーブル接続領域が可撓性を有する回路基板と、前記電子部品実装領域に搭載された電子部品と、前記配線ケーブル接続領域に接続された複数の配線ケーブルと、を備え、前記回路基板の収納状態において前記配線ケーブル接続領域の長手方向に沿って前記電子部品実装領域が延びており、前記回路基板の収納状態において前記配線ケーブル接続領域が該配線ケーブル接続領域の長手方向に折り曲げられ、前記配線ケーブル接続領域のケーブル接続部が前記電子部品実装領域の少なくとも一部と立体的に重なるように配置されたことを特徴とする。
【０００８】
また、本発明にかかる電子回路モジュールは、上記の発明において、前記回路基板の収納状態における前記配線ケーブル間の間隔が、前記回路基板の展開状態における前記配線ケーブル間の間隔よりも狭いことを特徴とする。
【０００９】
また、本発明にかかる電子回路モジュールは、上記の発明において、前記回路基板の収納状態において、前記複数の配線ケーブルの間に前記配線ケーブル接続領域の一部が介在していることを特徴とする。
【００１０】
また、本発明にかかる電子回路モジュールは、上記の発明において、前記電子部品は撮像素子を含み、前記配線ケーブル接続領域および前記配線ケーブルが、前記撮像素子の光軸方向と直交する前記電子部品の側面積内に収められたことを特徴とする。
【００１１】
また、本発明にかかる電子回路モジュールは、上記の発明において、前記回路基板は、硬質基板上に半導体プロセスを用いて作製した後剥離することにより得られる極薄フレキシブル回路基板であることを特徴とする。
【発明の効果】
【００１２】
本発明によれば、複数の配線ケーブルが接続される配線ケーブル接続領域を、収納状態時に折り曲げる分だけ電子部品実装領域と直交する方向に長くすることによってその面積を広く確保することができる。そして、配線ケーブル接続領域をその長手方向に折り曲げることにより、各配線ケーブル接続領域のケーブル接続部が電子部品実装領域の少なくとも一部と立体的に重なるように配置することができる。そして、配線ケーブルを、配線ケーブル接続領域を展開した状態で接続できるので、配線ケーブルの配線作業を簡単にし、モジュールの構成を容易に行うことができるという効果を奏する。
【発明を実施するための最良の形態】
【００１３】
以下、図面を参照し、本発明の好適な実施の形態について詳細に説明する。なお、本実施の形態によって本発明が限定されるものではない。
【００１４】
（実施の形態１）
先ず、実施の形態１の電子回路モジュールについて説明する。図１−１は、実施の形態１の電子回路モジュール１の展開状態時を模式的に示した斜視図であり、図１−２は、図１−１の電子回路モジュール１の収納状態時を模式的に示した斜視図である。また、図２は、図１−２のＡ−Ａ矢視断面図である。
【００１５】
電子回路モジュール１は、可撓性を有する回路基板であるフレキシブル回路基板１０と配線ケーブル１３（１３−１，２，３）とで構成される。フレキシブル回路基板１０は、電子部品実装領域１１０と配線ケーブル接続領域１２０とを備え、これらが一体的に形成されて構成されている。実施の形態１では、フレキシブル回路基板１０は、展開状態において配線ケーブル接続領域１２０の長手方向と直交する方向に電子部品実装領域１１０が延びた外形形状がＬ字状に形成されている。電子部品実装領域１１０には、撮像素子を具備する撮像部品１１１や、撮像素子駆動用回路部品１１２，１１３，１１４等の電子部品が搭載されており、それぞれ電子部品実装領域１１０の上面に設けられた図示しない電子部品搭載電極を介してフレキシブル回路基板１０と電気的に接続される。一方、配線ケーブル接続領域１２０の図１−１に示す展開状態で上面となる一方の面には、その長手方向に沿って複数（図示の例では３つ）のケーブル接続部である配線ケーブル接続用電極１２１，１２２，１２３が配設されており、それぞれ配線ケーブル１３と接続される。配線ケーブル接続用電極１２１，１２２，１２３は、電子部品実装領域１１０上の電子部品搭載電極と同一面上に配設されるため、フレキシブル回路基板１０は、柔軟性が高く折り畳みの作業が容易な片面構造のフレキシブル基板を用いて形成することができる。
【００１６】
そして、配線ケーブル接続領域１２０は、図１−２に示すように、収納状態において電子部品実装領域１１０との境界部分で折り返され、配線ケーブル接続領域１２０の長手方向に蛇腹状に折り畳まれる。これにより、各配線ケーブル１３が多層に積層される。さらにこのとき、配線ケーブル接続用電極１２１，１２２，１２３が電子部品実装領域１１０の少なくとも一部、実施の形態１では電子部品実装領域１１０の一端部およびこの一端部に搭載されている撮像素子駆動用回路部品１１４と立体的に重なるように配置される。また、折り曲げられた配線ケーブル接続領域１２０によって、図２に示すように、各配線ケーブル１３の間に配線ケーブル接続領域１２０を形成するフレキシブル基板の一部が介在している。そして、このようにして配線ケーブル接続領域１２０が折り曲げられることで、各配線ケーブル１３間のピッチｄ１３が図１−１に示す展開状態での各配線ケーブル１３間のピッチｄ１１より狭くなり、配線ケーブル接続領域１２０および各配線ケーブル１３を、撮像素子の光軸方向と直交する撮像部品１１１の側面積内に収めている。すなわち、配線ケーブル接続領域１２０の長手方向の長さや配線ケーブル接続用電極１２１，１２２，１２３の配設位置は、配線ケーブル接続領域１２０が折り畳まれたときに配線ケーブル接続領域１２０および各配線ケーブル１３が撮像素子の光軸方向と直交する撮像部品１１１の側面積内に収まるように設計される。
【００１７】
各配線ケーブル１３を収納する際には、先ず、配線ケーブル接続領域１２０を展開した状態で各配線ケーブル接続用電極１２１，１２２，１２３にそれぞれ配線ケーブル１３を接続する。続いて、配線ケーブル接続領域１２０を電子部品実装領域１１０との境界部分で折り返す。そして、配線ケーブル接続領域１２０および配線ケーブル１３が撮像素子の光軸方向と直交する撮像部品１１１の側面積内に収まるように、配線ケーブル接続領域１２０を順に折り曲げて蛇腹状に折り畳む。
【００１８】
ところで、配線ケーブル接続領域１２０を折り畳んで配線ケーブル１３を収納する場合、フレキシブル回路基板１０の柔軟性が高いほど、折り畳みの作業が容易である。そこで例えば、フレキシブル回路基板１０を、硬質基板上に半導体プロセス等で使用されているリソグラフィ法を用いて回路パターンを形成した柔軟性の高い極薄フレキシブル基板によって形成する。
【００１９】
ここで、フレキシブル回路基板１０の製作方法について説明する。図３は、フレキシブル回路基板１０の製作工程を示すフローチャートである。フレキシブル回路基板１０を作製する際には、先ず、硬質な基板を用意する。本実施の形態では、Ｌ字状の硬質基板を用いる。そして、用意したＬ字状の硬質基板上に柔軟基板部を形成する（ステップＳ１）。具体的には、先ず、硬質基板上に絶縁層を一体的に形成する。続いて、この絶縁層上に配線層を形成する処理等を行い、硬質基板上に配線を含む絶縁層である柔軟基板部を形成する。続いて、柔軟基板部上に撮像部品１１１や撮像素子駆動用回路部品１１２，１１３，１１４等の電子部品を実装する（ステップＳ３）。そして、硬質基板と柔軟基板部とを分離し、電子部品が実装された柔軟基板部を、フレキシブル回路基板１０として得る（ステップＳ５）。
【００２０】
以上説明した実施の形態１の電子回路モジュール１によれば、配線ケーブル接続領域１２０を、収納状態時に折り曲げる分だけ電子部品実装領域１１０と直交する方向に長くすることによってその面積を広く確保することができる。詳細にはこのとき、隣接する配線ケーブル接続用電極１１１〜１１４の間隔を広く確保し、配線ケーブル接続領域１２０を折り曲げることによって配線ケーブル１３間のピッチを狭くしている。そして、配線ケーブル１３−１〜３が接続された配線ケーブル接続領域１２０をその長手方向に折り曲げ、配線ケーブル接続領域１２０および各配線ケーブル１３を収納することができる。そして、配線ケーブル接続領域１２０を展開した状態で配線ケーブル１３を接続できるので、配線作業を簡単に行うことができ、モジュールの構成を容易に行うことができるという効果を奏する。
【００２１】
また、配線ケーブル接続領域１２０を折り曲げ、各配線ケーブル１３を多層に積層させて配置することができる。さらにこのとき、配線ケーブル接続用電極１２１，１２２，１２３を、電子部品実装領域１１０の一端部およびこの一端部に搭載されている撮像素子駆動用回路部品１１４と立体的に重畳させることができる。したがって、電子部品実装領域１１０上部の空間を無駄なく利用して配線ケーブル接続領域１２０および各配線ケーブル１３を収納でき、配線ケーブル接続領域１２０および各配線ケーブル１３を撮像素子の光軸方向と直交する撮像部品１１１の側面積内に収めることができる。また、電子回路モジュール１の光軸方向の長さを搭載する電子部品の配置等に必要な最低限の長さとすることができ、電子回路モジュールの小型化が実現できる。また、各配線ケーブル１３の間にそれぞれ配線ケーブル接続領域１２０を形成するフレキシブル基板の一部が介在するため、各配線ケーブル１３間の短絡を防止できる。これによれば、樹脂封止等によって配線ケーブル１３間を絶縁する必要がない。
【００２２】
なお、実施の形態１では、フレキシブル回路基板１０に３本の配線ケーブル１３が接続される場合を例にとって説明したが、接続する配線ケーブルの本数は必要に応じて適宜選択できる。図４−１は、実施の形態１の変形例における電子回路モジュール２の展開状態時を模式的に示した斜視図であり、図４−２は、図４−１の電子回路モジュール２の収納状態時を模式的に示した斜視図である。また、図５は、図４−２のＢ−Ｂ矢視断面図である。
【００２３】
電子回路モジュール２は、実施の形態１と同様に、電子部品実装領域２１０および配線ケーブル接続領域２２０を備えたフレキシブル回路基板２０を備え、展開状態において配線ケーブル接続領域２２０の長手方向と直交する方向に電子部品実装領域２１０が延びるようにこれらが一体的に形成されている。そして、電子部品実装領域２１０には、撮像部品２１１および撮像素子駆動用回路部品２１２，２１３，２１４が搭載されている。一方、配線ケーブル接続領域２２０の図４−１に示す展開状態で上面となる一方の面には、その長手方向に沿って６箇所に配線ケーブル接続用電極２２１〜２２６が配設されており、それぞれ配線ケーブル２３と接続される。各配線ケーブル接続用電極２２１〜２２６は、それぞれ所定の間隔を有して配設されている。
【００２４】
この配線ケーブル接続領域２２０は、図４−２に示すように、収納状態において電子部品実装領域２１０との境界部分で折り返され、蛇腹状に折り畳まれる。これにより、配線ケーブル接続用電極２２１〜２２６が、実施の形態１と同様に例えば電子部品実装領域２１０の一端部およびこの一端部に搭載されている撮像素子駆動用回路部品２１４と立体的に重なるように配置され、各配線ケーブル２３が多層に積層される。そして、このようにして配線ケーブル接続領域２２０が折り曲げられることで、各配線ケーブル２３間のピッチｄ２３が図４−１に示す展開状態での各配線ケーブル２３間のピッチｄ２１より狭くなり、配線ケーブル接続領域２２０および各配線ケーブル２３を、撮像素子の光軸方向と直交する撮像部品２１１の側面積内に収めている。より詳細には、各配線ケーブル接続用電極２２１〜２２６間が広く確保されており、収納状態において同一平面上で横に隣接する配線ケーブル２３間にそれぞれ配線ケーブル接続領域２２０を形成するフレキシブル基板の一部が介在するように折り曲げられて変形される。各配線ケーブル接続用電極２２１〜２２６間の間隔は、配線ケーブル２３の径等に基づいて予め定められる。
【００２５】
この場合も、実施の形態１と同様の効果を奏することができる。さらに、収納状態において、同一平面上で横に隣接する配線ケーブル２３の間にも配線ケーブル接続領域２２０を形成するフレキシブル基板の一部を介在させることができ、これらの間の短絡防止が実現できる。
【００２６】
（実施の形態２）
次に、実施の形態２の電子回路モジュールについて説明する。図６−１は、実施の形態２の電子回路モジュール３の展開状態時を模式的に示した斜視図であり、図６−２は底面図である。図７は、図６−１，２の電子回路モジュール３の収納状態時を模式的に示した斜視図である。
【００２７】
電子回路モジュール３は、フレキシブル回路基板３０と配線ケーブル３３（３３−１，２，３）とで構成される。フレキシブル回路基板３０は、図６−１に示すように、上面に撮像部品３１１や撮像素子駆動用回路部品３１２，３１３，３１４等の電子部品が搭載される領域Ｅ３１（以下、「電子部品実装領域Ｅ３１」と呼ぶ）と、底面に複数の配線ケーブル接続用電極が配設される領域Ｅ３３（以下、「配線ケーブル接続領域Ｅ３３」と呼ぶ）とを備え、展開状態において配線ケーブル接続領域Ｅ３３の長手方向に沿って電子部品実装領域Ｅ３１が延びた外形形状が長方形状に形成されている。
【００２８】
そして、配線ケーブル接続領域Ｅ３３は、図７に示すように、電子部品実装領域Ｅ３１との境界部分で折り返され、配線ケーブル接続領域Ｅ３３の長手方向に蛇腹状に折り畳まれる。これにより、配線ケーブル接続用電極３０１，３０２，３０３が例えば電子部品実装領域Ｅ３１の一端部およびこの一端部に搭載されている撮像素子駆動用回路部品３１４と立体的に重なるように配置され、各配線ケーブル３３が多層に積層される。また、折り曲げられた配線ケーブル接続領域Ｅ３３によって、各配線ケーブル３３の間に配線ケーブル接続領域Ｅ３３を形成するフレキシブル基板の一部が介在している。そして、このようにして配線ケーブル接続領域Ｅ３３が折り曲げられることで、各配線ケーブル接続用電極３０１〜３０３間のピッチが、展開状態での各配線ケーブル接続用電極３０１〜３０３間のピッチより狭くなり、配線ケーブル接続領域Ｅ３３および各配線ケーブル３３を、撮像素子の光軸方向と直交する撮像部品３１１の側面積内に収めている。すなわち、配線ケーブル接続領域Ｅ３３の長手方向の長さや配線ケーブル接続用電極３０１，３０２，３０３の配設位置は、配線ケーブル接続領域Ｅ３３が折り畳まれたときに配線ケーブル接続領域Ｅ３３および各配線ケーブル３３が撮像素子の光軸方向と直交する撮像部品３１１の側面積内に収まるように設計される。
【００２９】
各配線ケーブル３３を収納する際には、先ず、配線ケーブル接続領域Ｅ３３を展開した状態で各配線ケーブル接続用電極３０１，３０２，３０３にそれぞれ配線ケーブル３３を接続する。続いて、配線ケーブル接続領域Ｅ３３を電子部品実装領域Ｅ３１との境界部分で折り返す。そして、配線ケーブル接続領域Ｅ３３および配線ケーブル３３が撮像素子の光軸方向と直交する撮像部品３１１の側面積内に収まるように、配線ケーブル接続領域Ｅ３３を順に折り曲げて蛇腹状に折り畳む。
【００３０】
以上説明した実施の形態２の電子回路モジュール３によれば、実施の形態１と同様の効果を奏することができる。また、フレキシブル回路基板３０を、電子部品実装領域Ｅ３１が配線ケーブル接続領域Ｅ３３の長手方向に延びた長方形状とし、配線ケーブル接続領域Ｅ３３を、その長手方向すなわちフレキシブル回路基板３０の長手方向に折り曲げることとしたので、電子回路モジュール３の光軸方向と直交する方向の幅が、フレキシブル回路基板３０の短辺方向の幅よりも広くならない。したがって、電子回路モジュール３の小型化をより容易に実現できる。
【００３１】
（実施の形態３）
次に、実施の形態３の電子回路モジュールについて説明する。図８は、実施の形態３の電子回路モジュール４の展開状態時を模式的に示した斜視図である。図９−１，２は、図８の電子回路モジュール４の収納状態時を模式的に示した斜視図であり、図９−１は配線ケーブルを接続する前の状態を示しており、図９−２は配線ケーブルを接続した状態を示している。また、図１０は、図９−２のＣ−Ｃ矢視断面図である。
【００３２】
電子回路モジュール４は、実施の形態１と同様に、電子部品実装領域４１０および配線ケーブル接続領域４２０を備えたフレキシブル回路基板４０と配線ケーブル４３とで構成される。具体的には、電子部品実装領域４１０には、撮像部品４１１や、撮像素子駆動用回路部品４１２，４１３，４１４が搭載されている。一方、配線ケーブル接続領域４２０の図８に示す展開状態で上面となる一方の面には、その長手方向に沿って配線ケーブル接続用電極４２１，４２２，４２３が配設されている。各配線ケーブル接続用電極４２１，４２２，４２３は、それぞれ配線ケーブル４３（４３−１，２，３）と接続される。
【００３３】
そして、配線ケーブル接続領域４２０は、図９−１に示すように、収納状態において電子部品実装領域４１０との境界部分で折り返され、配線ケーブル接続領域４２０の長手方向に折り曲げられて変形される。このとき、配線ケーブル接続用電極４２１，４２２，４２３が、例えば電子部品実装領域４１０の一端部およびこの一端部に搭載されている撮像素子駆動用回路部品４１４と立体的に重なって配置されるように折り曲げられて変形され、配線ケーブル接続用電極４２１，４２２，４２３がそれぞれ内側面部に配置された凹部４２５（４２５−１，２，３）が形成される。そして、図９−２に示すように、配線ケーブル接続領域４２０が変形されて形成された凹部４２５に配線ケーブル４３がそれぞれ挿入されて固定され、各配線ケーブル４３は、凹部４２５の内側面部の配線ケーブル接続用電極４２１，４２２，４２３とそれぞれ接続される。また、折り曲げられた配線ケーブル接続領域４２０によって、図１０に示すように、それぞれ隣接する配線ケーブル４３の間に配線ケーブル接続領域４２０を形成するフレキシブル基板が介在している。そして、このようにして配線ケーブル接続領域４２０が折り曲げられ変形されることで、各配線ケーブル接続用電極４２１〜４２３間のピッチが図８に示す展開状態での各配線ケーブル接続用電極４２１〜４２３間のピッチより狭くなり、配線ケーブル接続領域４２０および各配線ケーブル４３を、撮像素子の光軸方向と直交する撮像部品４１１の側面積内に収めている。すなわち、配線ケーブル接続領域４２０の長手方向の長さや配線ケーブル接続用電極４２１，４２２，４２３の配設位置は、配線ケーブル接続領域４２０が折り畳まれて変形され、凹部４２５が形成されたときに配線ケーブル接続領域４２０および各配線ケーブル４３が撮像素子の光軸方向と直交する撮像部品４１１の側面積内に収まるように、かつ各凹部４２５の内側面部に配線ケーブル接続用電極４２１，４２２，４２３が位置するように設計される。
【００３４】
各配線ケーブル４３を収納する際には、例えば、先ず配線ケーブル接続領域４２０を電子部品実装領域４１０との境界部分で折り返す。続いて、配線ケーブル接続領域４２０および配線ケーブル４３が撮像素子の光軸方向と直交する撮像部品４１１の側面積内に収まるように、配線ケーブル接続領域４２０を折り曲げて変形させ、その内側面部に配線ケーブル接続用電極４２１，４２２，４２３が位置するように凹部４２５を形成させる。そして、各配線ケーブル４３を凹部４２５にそれぞれ挿入して固定し、内側面部の配線ケーブル接続用電極４２１，４２２，４２３とそれぞれ接続する。なお、配線ケーブル接続領域４２０を展開した状態で先に各配線ケーブル接続用電極４２１，４２２，４２３に配線ケーブル４３をそれぞれ接続し、次いで配線ケーブル接続領域４２０を折り曲げて変形させることとしてもよい。
【００３５】
以上説明した実施の形態３の電子回路モジュール４によれば、実施の形態１と同様の効果を奏することができる。また、実施の形態３の電子回路モジュール４によれば、配線ケーブル接続領域４２０を変形させて形成させた凹部４２５によって、この凹部４２５にそれぞれ挿入された配線ケーブル４３を確実に固定することが可能である。これにより、各配線ケーブル４３による配線をより簡単に行うことができる。
【００３６】
なお、上記した実施の形態１では、配線ケーブル接続領域１２０を蛇腹状に折り畳む場合を例示したが、これに限定されるものではない。例えば、配線ケーブル接続領域を渦巻状に折り曲げ、配線ケーブル１３を多層に積層させて配置することとしてもよい。さらにこのとき、各配線ケーブル接続用電極を電子部品実装領域の一端部およびこの一端部に搭載されている撮像素子駆動用回路部品と立体的に重畳させることとしてもよい。
【００３７】
また、上記した実施の形態１，３では、展開状態において配線ケーブル接続領域の長手方向と直交する方向に電子部品実装領域が延びるように構成されたフレキシブル回路基板の一例として外形形状がＬ字状に形成されたものについて例示したが、外形形状はこれに限定されない。例えば、フレキシブル回路基板の外形形状をＴ字状に形成してもよい。
【００３８】
また、上記した実施の形態３では、フレキシブル回路基板４０に３本の配線ケーブル４３−１〜３が接続される場合を例示したが、接続する配線ケーブルの本数は必要に応じて適宜選択できる。図１１は、実施の形態３の変形例における電子回路モジュール４ｂの収納状態時における撮像素子の光軸の直交方向断面図である。配線ケーブル接続領域４２０ｂには、図示しない６つの配線ケーブル接続用電極が形成されている。この配線ケーブル接続領域４２０ｂは、収納状態において、実施の形態３と同様にして電子部品実装領域４１０との境界部分で折り返され、配線ケーブル接続領域４２０ｂの長手方向に折り曲げられて変形されるが、このとき、配線ケーブル接続用電極がそれぞれ内側面部に配置された６つの凹部４２５−１〜６が３つずつ２段に重なるように形成される。そして、各凹部４２５−１〜６に配線ケーブル４３−１〜６がそれぞれ挿入されて固定され、各配線ケーブル４３は、凹部４２５−１〜６の内側面部の配線ケーブル接続用電極とそれぞれ接続される。このように、配線ケーブル接続領域４２０ｂを変形させて各配線ケーブル４３が挿入される凹部４２５−１〜６を２段以上に重ねて形成することも可能である。
【００３９】
また、上記した各実施の形態では、電子部品実装領域と配線ケーブル接続領域とが一体的なフレキシブル回路基板で形成されることとしたが、少なくとも配線ケーブル接続領域が可撓性を有していればよく、電子部品実装領域についてはリジッド回路基板で形成してもよい。
【００４０】
また、上記した各電子回路モジュールは、内視鏡に適用できる。内視鏡は、可撓性を有する細長の挿入具の先端部に、撮像部品等の電子部品を実装した電子回路モジュールが内蔵され、その基端に連接された湾曲部によって上下左右に湾曲操作される硬性部を備えたものであり、挿入具を体腔内に挿入することによって披検部位の観察等を行うことができる。挿入具先端の硬性部は、患者の苦痛を緩和するためだけでなく、湾曲部による湾曲操作の自由度を向上させるためにも小型化（特に短小化）が望まれている。このため、電子回路モジュールの小型化が重要な課題となる。上記した各電子回路モジュールによれば、そのモジュール全体の大きさの小型化、特に光軸方向の短小化が図れるので、内視鏡に適用することにより、挿入具先端の硬性部を短小化できるという効果を奏する。
【図面の簡単な説明】
【００４１】
【図１−１】図１−１は、実施の形態１の電子回路モジュールの展開状態時を模式的に示した斜視図である。
【図１−２】図１−２は、図１−１の電子回路モジュールの収納状態時を模式的に示した斜視図である。
【図２】図２は、図１−２のＡ−Ａ矢視断面図である。
【図３】図３は、フレキシブル回路基板の製作工程を示すフローチャートである。
【図４−１】図４−１は、変形例の電子回路モジュールの展開状態時を模式的に示した斜視図である。
【図４−２】図４−２は、図４−１の電子回路モジュールの収納状態時を模式的に示した斜視図である。
【図５】図５は、図４−２のＢ−Ｂ矢視断面図である。
【図６−１】図６−１は、実施の形態２の電子回路モジュールの展開状態時を模式的に示した斜視図である。
【図６−２】図６−２は、実施の形態２の電子回路モジュールの展開状態時を模式的に示した底面図である。
【図７】図７は、図６−１の電子回路モジュールの収納状態時を模式的に示した斜視図である。
【図８】図８は、実施の形態３の電子回路モジュールの展開状態時を模式的に示した斜視図である。
【図９−１】図９−１は、図８の電子回路モジュールの配線ケーブル接続前の収納状態時を模式的に示した斜視図である。
【図９−２】図９−２は、配線ケーブルを接続した状態の図８の電子回路モジュールの収納状態時を模式的に示した斜視図である。
【図１０】図１０は、図９−２のＣ−Ｃ矢視断面図である。
【図１１】図１１は、変形例の電子回路モジュールの収納状態時における撮像素子の光軸の直交方向断面図である。
【符号の説明】
【００４２】
１，２，３，４，４ｂ      電子回路モジュール
１０，２０，３０，４０，４０ｂ      フレキシブル回路基板
１１０，２１０，Ｅ３１，４１０      電子部品実装領域
１１１，２１１，３１１，４１１    撮像部品
１１２〜１１４，２１２〜２１４，３１２〜３１４，４１２〜４１４      撮像素子駆動用回路部品
１２０，２２０，Ｅ３３，４２０      配線ケーブル接続領域
１２１〜１２３，２２１〜２２６，３０１〜３０３，４２１〜４２３      配線ケーブル接続用電極
１３，２３，３３，４３      配線ケーブル
【図１−１】
0005351323.tif 000002
【図１−２】
0005351323.tif 000003
【図２】
0005351323.tif 000004
【図３】
0005351323.tif 000005
【図４−１】
0005351323.tif 000006
【図４−２】
0005351323.tif 000007
【図５】
0005351323.tif 000008
【図６−１】
0005351323.tif 000009
【図６−２】
0005351323.tif 000010
【図７】
0005351323.tif 000011
【図８】
0005351323.tif 000012
【図９−１】
0005351323.tif 000013
【図９−２】
0005351323.tif 000014
【図１０】
0005351323.tif 000015
【図１１】
0005351323.tif 000016